(57)【要約】【課題】高精度な生体認証情報を容易かつ短時間に取得することにより、精度良く個人認証を行う。【解決手段】ＢＭ情報を用いて個人認証を行うＩＤカードシステムにおいて、顔画像の撮影を行う際に、個人認証に利用する複数種の生体認証情報を略同時に取得する。【選択図】図１
2005141379.tif 000002
【特許請求の範囲】
【請求項１】
生体認証情報を入力する入力装置と、顔画像を撮影する顔画像撮影装置とを備えるＩＤカードシステムにおいて、
前記入力装置は、
生体認証情報を入力する入力手段と、
前記顔画像撮影装置による顔画像の撮影と略同時に、前記入力手段に生体認証情報を入力させる制御手段と、
を備えることを特徴とするＩＤカードシステム。
【請求項２】
生体認証情報を入力する入力手段と、
前記入力装置から生体認証情報を取得する取得手段と、
前記入力手段により入力された生体認証情報と、前記取得手段により取得された生体認証情報とに基づいて個人認証を行う認証手段と、を具備する照合装置を備えることを特徴とする請求項１記載のＩＤカードシステム。
【請求項３】
前記顔画像撮影装置により撮影された顔画像を取得する取得手段と、
前記取得した顔画像から生体認証情報を生成する変換手段と、を具備する顔画像変換装置を備えることを特徴とする請求項１又は２記載のＩＤカードシステム。
【請求項４】
個人情報を管理するホストコンピュータを備え、
前記ホストコンピュータは、
前記生体認証情報及び前記顔画像を取得する取得手段と、
前記個人情報に基づいて前記生体認証情報と前記顔画像と対応付けて保存する保存手段と、
を備えることを特徴とする請求項１から３のいずれか一項に記載のＩＤカードシステム。
【請求項５】
前記顔画像及び前記生体認証情報を取得する取得手段と、
ＩＤカードの内蔵メモリに前記顔画像及び前記生体認証情報を記録する記録手段と、
を具備する発行装置を備えることを特徴とする請求項１から４のいずれか一項に記載のＩＤカードシステム。
【請求項６】
生体認証情報を入力する入力装置と、顔画像を撮影する顔画像撮影装置とを備えるＩＤカードシステムにおける認証方法において、
前記顔画像撮影装置による顔画像の撮影と略同時に、前記前記入力装置に生体認証情報を入力させる工程と、
を含むことを特徴とする認証方法。
【請求項７】
生体認証情報を入力する工程と、
前記入力装置から生体認証情報を取得する工程と、
前記入力された生体認証情報と、前記入力装置から取得された生体認証情報とに基づいて個人認証を行う工程と、
を含むことを特徴とする請求項６記載の認証方法。
【請求項８】
前記顔画像撮影装置により撮影された顔画像を取得する工程と、
前記取得した顔画像から生体認証情報を生成する工程と、
を含むことを特徴とする請求項６又は７記載の認証方法。
【請求項９】
個人情報を管理する工程と、
前記生体認証情報及び前記顔画像を取得する工程と、
前記個人情報に基づいて前記生体認証情報と前記顔画像とを対応付けて保存する工程と、
を含むことを特徴とする請求項６から８のいずれか一項に記載の認証方法。
【請求項１０】
前記顔画像及び前記生体認証情報を取得する工程と、
ＩＤカードの内蔵メモリに前記顔画像及び前記生体認証情報を記録する工程と、
を含むことを特徴とする請求項６から９のいずれか一項に記載の認証方法。
【発明の詳細な説明】
【技術分野】
【０００１】
本発明は、社員証や各種免許証等のＩＤカードを作成するＩＤカードシステム及び認証方法に関するものである。
【背景技術】
【０００２】
近時、ＥＥＰＲＯＭ等から構成される不揮発性のデータメモリ、及びこれらを制御するＣＰＵを有するＩＣチップが内蔵されたＩＣカードを利用した社員証や各種免許証等のＩＤカードが普及している（例えば、特許文献１又は特許文献２参照）。このＩＤカードには、顔写真や、個人情報（ＩＤ番号、住所、氏名、年齢、及び所属等）が紙やプラスチック製カードの表面に直接印刷されるとともに、カードに内蔵されるデータメモリ（以下、「内蔵メモリ」と省略する）にデジタルデータ化した顔写真や、個人情報が記録されている。
【０００３】
また、近年では、ＩＤカード発行時に、個人情報として生体認証情報（Biometrics Date）を記録し、この生体認証情報に基づいて、ＩＤカード所有者の個人認証が行われるようになってきている。生体認証情報としては、例えば、指紋、虹彩、網膜、手の甲の静脈パターン、掌紋、顔の特徴、声紋、或いは、遺伝子情報ＤＮＡ等があり、これらの生体認証情報は、環境変動に対する強さを有している。
【０００４】
例えば、上述した生体認証情報のうち指紋を利用して個人認証を行う場合、まず、登録の際に提示された指紋の画像処理を行い、特徴点データを抽出する。そして、指紋の画像と共に、指紋の特徴点データを記憶して指紋の登録を行う。また、認証を行う際に提示された指紋の画像処理を行い、特徴点データを抽出する。そして、登録されている指紋の特徴点データと、提示された指紋の特徴点データを照合して、ＩＤカード所有者本人であるか他人であるかを判別する。
【０００５】
一方、上述したＩＤカードシステムにおいては、近年の通信技術の発達に伴い、各種装置をインターネット等のネットワークに接続することにより、同一フロア内或いは遠隔地間においてシステムを形成することが可能である。すなわち、ＩＤカードシステムにおいては、生体認証情報を入力する入力装置、生体認証情報に基づいて個人認証を行う照合装置、ＩＤカードに印刷される顔画像を撮影する顔画像撮影装置、ＩＤカードを発行するＩＤカード発行装置、生体認証情報や顔画像を蓄積するファイリング装置、これら各装置を統合的に管理するホストコンピュータ等の複数の装置がネットワークを介して接続されることにより構成されている。
【０００６】
したがって、ＩＤカードを発行する際には、各装置において処理を行う度に、申請者（ＩＤカード所有者）が本人であるかの確認を行う必要がある。そこで、生体認証情報に基づいて個人認証を行い、ＩＤカード発行工程におけるなりすましを防止している。また、１種類の生体認証情報を用いただけでは、認証エラーを十分に排除することが困難であるため、通常複数の生体認証情報を用いて申請者の認証を行っている。
【特許文献１】特開２０００−２０７６１６号公報
【特許文献２】特開２００２−８６９６９号公報
【発明の開示】
【発明が解決しようとする課題】
【０００７】
しかしながら、上述した従来のＩＤカードシステムにおいては、複数の生体認証情報を各所に点在する入力装置において取得するため、生体認証情報の取得に手間及び時間が係っていた。また、例えば、声紋を取得するのであれば、周辺の雑音を一定レベル以下にする等、生体認証情報を取得する際は、環境を一定かつ適性に保つ必要があり、各所にこのような環境を確保することは困難であるという問題があった。このような適切な環境において、生体認証情報が取得できない場合、認証精度が低下し、ＩＤカード発行工程におけるなりすましを防止できない恐れがあった。
【０００８】
本発明の課題は、高精度な生体認証情報を容易かつ短時間に取得することにより、精度良く個人認証を行うことができるＩＤカードシステム及び認証方法を提供することである。
【課題を解決するための手段】
【０００９】
上記課題を解決するために、請求項１記載の発明は、
生体認証情報を入力する入力装置と、顔画像を撮影する顔画像撮影装置とを備えるＩＤカードシステムにおいて、
前記入力装置は、
生体認証情報を入力する入力手段と、
前記顔画像撮影装置による顔画像の撮影と略同時に、前記入力手段に生体認証情報を入力させる制御手段と、
を備えることを特徴としている。
【００１０】
請求項２記載の発明は、請求項１記載のＩＤカードシステムにおいて、
生体認証情報を入力する入力手段と、
前記入力装置から生体認証情報を取得する取得手段と、
前記入力手段により入力された生体認証情報と、前記取得手段により取得された生体認証情報とに基づいて個人認証を行う認証手段と、を具備する照合装置を備えることを特徴としている。
【００１１】
請求項３記載の発明は、請求項１又は２記載のＩＤカードシステムにおいて、
前記顔画像撮影装置により撮影された顔画像を取得する取得手段と、
前記取得した顔画像から生体認証情報を生成する変換手段と、を具備する顔画像変換装置を備えることを特徴としている。
【００１２】
請求項４記載の発明は、請求項１から３のいずれか一項に記載のＩＤカードシステムにおいて、
個人情報を管理するホストコンピュータを備え、
前記ホストコンピュータは、
前記生体認証情報及び前記顔画像を取得する取得手段と、
前記個人情報に基づいて前記生体認証情報と前記顔画像と対応付けて保存する保存手段と、
を備えることを特徴としている。
【００１３】
請求項５記載の発明は、請求項１から４のいずれか一項に記載のＩＤカードシステムにおいて、
前記顔画像及び前記生体認証情報を取得する取得手段と、
ＩＤカードの内蔵メモリに前記顔画像及び前記生体認証情報を記録する記録手段と、
を具備する発行装置を備えることを特徴としている。
【００１４】
請求項６記載の発明は、
生体認証情報を入力する入力装置と、顔画像を撮影する顔画像撮影装置とを備えるＩＤカードシステムにおける認証方法において、
前記顔画像撮影装置による顔画像の撮影と略同時に、前記前記入力装置に生体認証情報を入力させる工程と、
を含むことを特徴としている。
【００１５】
請求項７記載の発明は、請求項６記載の認証方法において、
生体認証情報を入力する工程と、
前記入力装置から生体認証情報を取得する工程と、
前記入力された生体認証情報と、前記入力装置から取得された生体認証情報とに基づいて個人認証を行う工程と、
を含むことを特徴としている。
【００１６】
請求項８記載の発明は、請求項６又は７記載の認証方法において、
前記顔画像撮影装置により撮影された顔画像を取得する工程と、
前記取得した顔画像から生体認証情報を生成する工程と、
を含むことを特徴としている。
【００１７】
請求項９記載の発明は、請求項６から８のいずれか一項に記載の認証方法において、
個人情報を管理する工程と、
前記生体認証情報及び前記顔画像を取得する工程と、
前記個人情報に基づいて前記生体認証情報と前記顔画像とを対応付けて保存する工程と、
を含むことを特徴とする。
【００１８】
請求項１０記載の発明は、請求項６から９のいずれか一項に記載の認証方法において、
前記顔画像及び前記生体認証情報を取得する工程と、
ＩＤカードの内蔵メモリに前記顔画像及び前記生体認証情報を記録する工程と、
を含むことを特徴としている。
【発明の効果】
【００１９】
本発明によれば、生体認証情報に基づいて個人認証を行うＩＤカードシステムにおいて、顔画像を取得する際に、略同時に生体認証情報を取得することができるため、申請者から生体認証情報を取得する際の手間及び時間を省くことができると共に、生体認証情報を取得するために好適な環境下において、生態認証情報を取得することができる。これにより、品質のよい生体認証情報を取得することができ、高品質な生体認証情報に基づいて、精度良く個人認証を行うことができる。
【発明を実施するための最良の形態】
【００２０】
以下、図１〜図６を参照して本発明の実施の形態を詳細に説明する。ただし、発明の範囲は、図示例に限定されない。
【００２１】
まず、本実施の形態の構成を説明する。
図１は、本実施の形態におけるＩＤカードシステム１００のシステム構成を示す図である。図１に示すように、ＩＤカードシステム１００には、登録端末１０、ＢＭ（Biometrics）入力装置２０ａ〜２０ｂ、ＢＭファイリング装置３０ａ〜３０ｂ、ＢＭ照合装置４０ａ〜４０ｂ、顔画像撮影装置５０、顔画像ＢＭ変換装置６０ａ〜６０ｂ、顔画像ファイリング装置７０、カードプリンタ８０、発行端末９０等から構成され、各装置はネットワークＮを介してデータの送受信が可能なように構成されている。
【００２２】
ホストコンピュータ１は、ＩＤカードシステム１００を統合的に管理するサーバとしての機能を有し、ＩＤカードシステム１００において送受信されるデータを管理するデータベース（図示せず）を備えている。ホストコンピュータ１は、登録端末１０から送信される申請者の個人情報、ＩＤ番号、顔画像データ、各種特徴点データを受信し、受信した情報を対応付けてデータベースに保存する。また、ホストコンピュータ１は、カードプリンタ８０、発行端末９０の要求に応じて、要求された申請者の個人情報、ＩＤ番号をカードプリンタ８０に送信する。
【００２３】
登録端末１０は、申請書の受け付けを行うオペレータにより操作される端末であり、申請書の記載に基づいて、申請者に関する個人情報等を入力させ、個人情報に対応するＩＤ番号を発行する装置である。また、登録端末１０は、入力された個人情報をＩＤ番号に対応付けてホストコンピュータ１に送信する。
【００２４】
ＢＭ入力装置２０ａは、登録端末１０の近傍に設置され、例えば、申請者の指紋、虹彩、手の甲の静脈パターン、掌紋、顔の特徴、声紋、或いは、遺伝子情報ＤＮＡ等の生体認証情報（以下、「ＢＭ情報」と記す）を入力する装置である。なお、本実施の形態においては、ＢＭ入力装置２０ａは指紋センサを備え、申請者の指紋に係るＢＭ情報を取得するものとする。
【００２５】
ＢＭ入力装置２０ａは、申請者から入力された指紋の画像データを取得し、これを画像処理して特徴点データを抽出する。そして、指紋の画像データ及び特徴点データと、申請者を識別するための識別情報と対応付けてファイリング装置３０ａに送信する。ここで、申請者を識別するための識別情報とは、申請者を一義的に決定するための情報であり、例えば、申請者の氏名、ＩＤ番号、住所、電話番号等の情報であるものとする。本実施の形態においては、申請者の識別情報としてＩＤ番号が用いられるものとする。また、画像データ及び特徴点データには、ＢＭ情報の種類（例えば、指紋、虹彩、声紋等）を示す情報が付帯されるものとする。
【００２６】
ＢＭファイリング装置３０ａは、ＢＭ入力装置２０ａからＢＭ情報として、指紋の画像データ及び特徴点データを受信し、受信した特徴点データ及び画像データをＩＤ番号及びＢＭ情報の種類に基づいて保存、管理する。また、ＢＭファイリング装置３０ａは、ＢＭ照合装置４０ａ〜４０ｂ、カードプリンタ８０又は発行端末の要求に応じて、指紋の指紋の画像データ又は特徴点データを取得し、対応する各装置に取得したデータを送信する。
【００２７】
ＢＭ照合装置４０ａは、申請者から入力されるＢＭ情報と、ＢＭファイリング装置３０ａから取得したＢＭ情報に基づいて、申請者の個人認証を行う装置である。本実施の形態において、ＢＭ照合装置４０ａは、指紋センサを備え、ＢＭ情報として指紋を用いるものとする。ＢＭ照合装置４０ａは、申請者から取得した指紋の画像データから特徴点データを抽出し、ファイリング装置３０ａから受信した指紋の特徴点データと比較して、個人認証を行う。特徴点データが一致せず、個人認証が行えない場合、ＢＭ照合装置は、ファイリング装置３０ａから指紋の画像データを取得して、申請者から取得した指紋の画像データと、比較して個人認証を行う。
【００２８】
ＢＭ入力装置２０ｂは、顔画像撮影装置５０の近傍に設置され、例えば、申請者の指紋、虹彩、手の甲の静脈パターン、掌紋、顔の特徴、声紋、或いは、遺伝子情報ＤＮＡ等のＢＭ情報を入力する装置である。なお、本実施の形態においては、ＢＭ入力装置２０ｂは虹彩センサ及び音声マイクを備え、申請者の虹彩及び声紋に係るＢＭ情報を取得するものとする。
【００２９】
ＢＭ入力装置２０ｂは、顔画像の撮影を行う際に、申請者から虹彩の画像データを取得し、これを画像処理して特徴点データを抽出する。また、顔画像の撮影を行う際に、撮影者の呼びかけに呼応して発呼される申請者の声から、声紋の音声データを取得し、これを音声処理して特徴点データを抽出する。そして、虹彩の画像データ及び抽出した特徴点データと、声紋の音声データ及び抽出した特徴点データに、ＩＤ番号及びＢＭ情報の種類を対応付けてファイリング装置３０ｂに送信する。さらに、ＢＭ入力装置２０ｂは、顔画像装置５０から申請者の顔画像を取得し、顔画像、虹彩及び声紋の特徴点データ、ＩＤ番号をそれぞれ対応付けて、ホストコンピュータ１に送信する。
【００３０】
ＢＭファイリング装置３０ｂは、ＢＭ入力装置２０ｂからＢＭ情報として、虹彩の画像データ及び特徴点データと、声紋の音声データ及び特徴点データを受信し、受信した各データをＩＤ番号及びＢＭ情報の種類に基づいて保存、管理する。また、ＢＭファイリング装置３０ａは、ＢＭ照合装置４０ａ〜４０ｂ、カードプリンタ８０又は発行端末９０の要求に応じて、虹彩の画像データ又は特徴点データ、声紋の音声データ又は特徴点データを送信する。
【００３１】
顔画像撮影装置５０は、カメラ等を備え、ＩＤカードを作成する申請者の顔画像を撮影する装置である。この顔画像撮影装置５０は、申請者の撮影を行い、撮影された顔画像の画像処理を行う。そして、画像処理した顔画像データを、ＩＤ番号と対応付けてＢＭ入力装置２０ｂ、顔画像ＢＭ変換装置６０ａ、顔画像ファイリング装置７０に送信する。
【００３２】
顔画像ＢＭ変換装置６０ａは、顔画像撮影装置５０により撮影された顔画像をＢＭ情報として利用するため、顔画像撮影装置５０から受信した顔画像データから特徴点データを抽出する。そして、抽出した顔画像の特徴点データをＩＤ番号と対応付けて顔画像ファイリング装置７０に送信する。
【００３３】
顔画像ファイリング装置７０は、顔画像撮影装置５０からＩＤ番号に対応付けられた顔画像データを受信すると共に、顔画像ＢＭ変換装置６０からＩＤ番号に対応付けられた顔画像の特徴点データを受信する。そして、ＩＤ番号に基づいて、顔画像の特徴点データ及び顔画像データを保存、管理する。また、顔画像ファイリング装置７０は、顔画像ＢＭ変換装置６０ｂからの要求に応じて、顔画像の特徴点データを送信すると共に、カードプリンタ８０の要求に応じて顔画像データを送信する。
【００３４】
カードプリンタ８０は、印刷装置等を備え、ホストコンピュータ１から個人情報を受信すると共に、顔画像ファイリング装置７０からＩＤ番号及び顔画像データを受信する。そして、受信した個人情報に含まれるＩＤ番号と、顔画像に付帯するＩＤ番号とを一致させ、個人情報と、顔画像が記載されたＩＤカードの印刷、作成を行う。
【００３５】
ＢＭ照合装置４０ｂは、申請者から入力されるＢＭ情報と、ＢＭファイリング装置３０ｂから取得したＢＭ情報に基づいて、申請者の個人認証を行う装置である。本実施の形態において、ＢＭ照合装置４０ａは、虹彩センサ又は音声マイクを備え、ＢＭ情報として虹彩又は声紋を用いるものとする。ＢＭ照合装置４０ｂに虹彩センサを備える場合、申請者から取得した虹彩の画像データから特徴点データを抽出し、ファイリング装置３０ｂから受信した虹彩の特徴点データと比較して、個人認証を行う。また、ＢＭ照合装置４０ｂにマイクを備える場合、申請者から取得した声紋の音声データから特徴点を抽出し、ファイリング装置３０ｂから受信した声紋の特徴点データと比較して個人認証を行う。なお、ＢＭ照合装置４０ｂは、虹彩センサ及び音声マイクの両方を備え、虹彩及び声紋に係るＢＭ情報を用いて個人認証を行う構成であってもよい。
【００３６】
発行端末９０は、リーダ／ライタを備え、ホストコンピュータ１から個人情報及びＩＤ番号、ＢＭファイリング装置３０ａから指紋の特徴点データ、ＢＭファイリング装置３０ｂから虹彩の特徴点データ、顔画像ファイリング装置７０から顔画像データを受信して、受信した各情報をＩＤカードの内蔵メモリに記録する。
【００３７】
続いて、ＩＤカードシステム１００を構成する各装置のうち、本発明に特徴的な装置について詳細に説明する。なお、ＢＭ入力装置２０ａ〜２０ｂ、ＢＭ照合装置４０ａ〜４０ｂの構成は略同一の構成となるため、以下ではＢＭ入力装置２０ｂを代表として詳細な説明を行う。
【００３８】
図２は、ＢＭ入力装置２０ｂの機能的構成を示すブロック図である。図２に示すように、ＢＭ照合装置２０ｂは、ＣＰＵ２１ｂ、入力部２２ｂ、表示部２３ｂ、通信部２４ｂ、ＲＡＭ２５ｂ、虹彩センサ２６ｂ、音声マイク２７ｂ、記憶部２８ｂ等から構成され、各部はバス２９ｂにより接続されている。
【００３９】
ＣＰＵ２１ｂは、記憶部２８ｂに記録されているＢＭ入力装置２０ｂに対応する各種プログラムの中から指定されたプログラム、入力部２２ｂから入力される各種指示、通信部２４ｂ、虹彩センサ２６ｂ又は音声マイク２７ｂから入力されるデータをＲＡＭ２５ｂのワークエリアに展開する。そして、入力指示、又は入力データに応じて上記プログラムに従って各種処理を実行し、その処理結果をＲＡＭ２５ｂの所定の領域に格納すると共に、表示部２３ｂに表示させる。
【００４０】
入力部２２ｂは、カーソルキー、数字入力キー、及び各種機能キーを備えたキーボードを含み、このキーボードで押下されたキーに対応する押下信号をＣＰＵ２１ｂに出力する。また、入力部２２ｂは、必要に応じてマウス、タッチパネル等のポインティングデバイス、ＩＤカードやＩＤカードの申請書に印字されたＩＤ番号を光学的に読取るＯＣＲ（Optical Character Reader）装置、ＩＤカードの磁気ストライプや半導体メモリに記憶されたＩＤ番号や画像情報等を読取るリーダライタ（Ｒ／Ｗ）装置等、その他種々の入力装置を備えるものとしてもよい。
【００４１】
表示部２３ｂは、ＣＲＴ（Cathode Ray Tube）やＬＣＤ（Liquid Crystal Display）等によってなる表示画面を備え、ＣＰＵ２１ｂの制御に応じて、入力部２２ｂ、通信部２４ｂ、虹彩センサ２６ｂを介して入力される表示データを画面上に表示する。
【００４２】
通信部２４ｂは、ＬＡＮ（Local Area Network）、ＷＡＮ（Wide Area Network）等のネットワークに接続された伝送媒体に接続可能なインターフェイスである。通信部２４ｂは、モデム又はターミナルアダプタ等によって構成され、電話回線、ＩＳＤＮ回線、無線通信回線、専用線、ＣＡＴＶ回線等の通信回線を介して外部機器との通信を行うための制御を行う。
【００４３】
ＲＡＭ２５ｂは、ＣＰＵ２１ｂによって実行される各種プログラムやこれら各種プログラムによって処理されたデータ等を一時的に記憶するワークエリアを形成する。
【００４４】
虹彩センサ２６ｂは、ガラス又はプラスチックからなる光学レンズ、及びＣＣＤやＣＭＯＳ等の光学センサにより構成され、光学レンズを介して入力される虹彩画像を画像データとしてＣＰＵ２１ｂに出力する。この虹彩センサ２６ｂは、例えば、申請者の顔画像を撮影する際に、申請者が着席する位置の近傍に設けられている。
【００４５】
音声マイク２７ｂは、図示しない音声処理部を備え、入力された音声信号をデジタルデータに変換し、音声データとしてＣＰＵ２１ｂに出力する。この音声マイク２７ｂは、例えば、申請者の顔画像を撮影する際に、申請者が着席する位置の近傍に設けられている。
【００４６】
記憶部２８ｂは、プログラムやデータ等が予め記憶されている記録媒体（図示せず）を有しており、この記録媒体は磁気的、光学的記録媒体、若しくは半導体メモリで構成されている。この記録媒体は記憶部２８ｂに固定的に設けられるもの、若しくは着脱自在に装着するものであり、この記録媒体には、システムプログラム、当該システムに対応する各種処理プログラム、及び各種処理プログラムで処理されたデータ等を記憶する。プログラムは、コンピュータが読み取り可能なプログラムコードの形態で格納され、ＣＰＵ２１ｂは、当該プログラムコードに従った動作を逐次実行する。
【００４７】
また、詳細な構成の説明及び図示は省略するが、ＢＭ入力装置２０ａは、ＣＰＵ２１ａ、入力部２２ｂ、表示部２３ａ、通信部２４ａ、ＲＡＭ２５ａ、指紋センサ２６ａ、記憶部２７ａ等から構成され、各部はバス２８ａにより接続されている。なお、指紋センサ２６ａは、リニア型ＣＣＤイメージセンサ、リニア型ＣＭＯＳイメージセンサ等の光電変換素子で構成され、図示しない受光面に結像された指紋の一次元像を電気信号としての一次元指紋信号から指紋画像データに変換する。
【００４８】
また、ＢＭ照合装置は、ＣＰＵ４１ａ、入力部４２ｂ、表示部４３ａ、通信部４４ａ、ＲＡＭ４５ａ、指紋センサ４６ａ、記憶部４７ａ等から構成され、各部はバス４８ａにより接続されている。また、ＢＭ照合装置４０ｂは、ＣＰＵ４１ｂ、表示部４３ｂ、通信部４４ｂ、ＲＡＭ４５ｂ、虹彩センサ４６ｂ、音声マイク４７ｂ、記憶部４８ｂ等から構成され、各部はバス４９ｂにより接続されている。
【００４９】
次に、発行端末９０について説明する。図３は、発行端末９０の機能的構成を示すブロック図である。図３に示すように、発行端末９０は、ＣＰＵ９１、入力部９２、表示部９３、通信部９４、ＲＡＭ９５、リーダ／ライタ９６、記憶部９７等を備えて構成され、各部はバス９９により接続されている。なお、上述したＢＭ入力装置２０ｂと略同一の構成であるため、同一部分については同列の符号を付し、詳細な説明を省略する。
【００５０】
リーダ／ライタ９６は、アンテナ、送受信回路、制御回路、Ｉ／Ｆ部等を備えて構成され、電磁誘導によりＩＤカードへの電力の供給と通信を行い、ＩＤカードの内蔵メモリに対してデータの読出しまたは書き込みを行う。
【００５１】
次に、本実施の形態の動作を説明する。
以下に示す図４〜図６のフローチャートに記述されている各機能を実現するためのプログラムは、読み取り可能なプログラムコードの形態でＢＭ入力装置２０ｂの記憶部２８ｂ、ＢＭ照合装置４０ｂの記憶部４８ｂ又は発行端末９０の記憶部９７に格納されており、ＣＰＵ２１ｂ、ＣＰＵ４１ｂ又はＣＰＵ９１は、このプログラムコードに従った動作を逐次実行する。また、図示しないＣＤ−ＲＯＭ、ＤＶＤ―ＲＯＭ等から外部供給されるプログラム／データを利用してこの実施の形態特有の動作を実行することも可能である。
【００５２】
まず、顔画像撮影装置５０の近傍に設置されるＢＭ入力装置２０ｂにより実行され、顔画像の撮影と略同時にＢＭ情報を取得するＢＭ情報取得処理について説明する。なお、このＢＭ情報取得処理が実行される前提として、ＢＭ入力装置２０ａにて取得されたＢＭ情報に基づいて、ＢＭ照合装置４０ａにより申請者の個人認証が行われているものとする。
【００５３】
図４は、ＢＭ入力装置２０ｂのＣＰＵ２１ｂにより実行されるＢＭ情報取得処理を示すフローチャートである。図４に示すように、ＣＰＵ２１ｂは、登録端末１０により発行された申請者のＩＤ番号を入力部２２ｂから入力させ（ステップＳ１）、顔画像の撮影準備が整ったか否かを判別する（ステップＳ２）。ここで、顔画像の撮影準備が整ったかどうかを判別する方法としては、申請者が着席するための撮影用の椅子にセンサを設け、申請者が椅子に着席してから所定時間（例えば、５秒程度）経過した場合に、撮影準備が整ったと判別するか、顔画像を撮影する撮影者又は申請者により、入力部２２ｂを介して撮影準備ＯＫの指示が入力された場合、或いは、顔画像撮影装置５０により、撮影指示が入力された場合にネットワークＮを介して撮影指示がＢＭ入力装置２０ｂに出力され、撮影準備が整ったと判別される方法であってもよい。
【００５４】
次いで、顔画像の撮影準備が整ったと判別された場合（ステップＳ２；ＹＥＳ）、ＣＰＵ２１ｂは、虹彩の画像データ及び声紋の音声データを取得する（ステップＳ３）。続いて、虹彩の画像データから所定のアルゴリズムに従って、特徴点データを抽出する（ステップＳ４）。また声紋の音声データから所定のアルゴリズムに従って、特徴点データを抽出する（ステップＳ５）。
【００５５】
そして、ＣＰＵ２１ｂは、ＩＤ番号と、虹彩の画像データ及び特徴点データを対応付けて、ＢＭファイリング装置３０ａに送信する（ステップＳ６）。また、ＩＤ番号と、声紋の音声データ及び特徴点データを対応付けてＢＭファイリング装置３０ｂに送信する（ステップＳ７）。さらに、ＣＰＵ２１ｂは、通信部２４ｂを介して、顔画像撮影装置５０から申請者の顔画像データを取得し、顔画像データ、虹彩の特徴点データ、声紋の特徴点データをＩＤ番号に対応付けてホストコンピュータ１に送信し（ステップＳ８）、本ＢＭ情報取得処理を終了する。
【００５６】
次に、図５を参照して、ＩＤカードを発行する際に、ＢＭ情報を用いて個人認証を行う照合処理について説明する。なお、以下の処理の説明において、照合処理を行うＢＭ照合装置４０ｂは、虹彩センサ４７ｂを備え、個人認証には、ＢＭ情報として虹彩を用いるものとする。図５は、ＢＭ照合装置４０ｂのＣＰＵ４１ｂにより実行される照合処理を示すフローチャートを示す図である。
【００５７】
図５に示すように、ＣＰＵ４１ｂは、個人認証を行う申請者のＩＤ番号を入力部４２ｂから入力させ（ステップＳ１１）、虹彩センサ４６ｂを介して申請者の虹彩を撮影し、虹彩の画像データを取得する（ステップＳ１２）。次いで、ＣＰＵ４１ｂは、取得した虹彩の画像データから所定のアルゴリズムに従って特徴点データを抽出する（ステップＳ１３）。また、ＣＰＵ４１ｂは、入力された申請者のＩＤ番号と共に、虹彩の特徴点データの要求指示をＢＭファイリング装置３０ｂに送信して（ステップＳ１４）、ＢＭファイリング装置３０ｂからＩＤ番号に対応する虹彩の特徴点データを受信する（ステップＳ１４）。
【００５８】
そして、ＣＰＵ４１ｂは、ステップＳ１３にて取得した特徴点データと、ステップＳ１５にて受信した特徴点データを比較して（ステップＳ１６）、申請者の個人認証を行う。ここで、特徴点データが一致した場合（ステップＳ１７；ＹＥＳ）、ＣＰＵ４１ｂは、個人認証が成功したと判別して、認証ＯＫメッセージを表示部４３ｂに表示させ（ステップＳ２１）、本照合処理を終了する。
【００５９】
一方、特徴点データが一致しなかった場合（ステップＳ１７；ＮＯ）、ＣＰＵ４１ｂは、申請者のＩＤ番号と共に虹彩の画像データの要求指示をＢＭファイリング装置３０ｂに送信する（ステップＳ１７）。次いで、ＣＰＵ４１ｂは、ＢＭファイリング装置３０ｂからＩＤ番号に対応する虹彩の画像データを受信して（ステップＳ１８）、受信した虹彩の画像データから特徴点データを抽出する（ステップＳ１９）。そして、ステップＳ１３において抽出した特徴点データと、ステップＳ１９において抽出した特徴点データを比較して、特徴点データが一致するか否かを判別する（ステップＳ２０）。
【００６０】
ここで、特徴点データが一致した場合（ステップＳ２０；ＹＥＳ）、ＣＰＵ４１ｂは、個人認証が成功したと判別して、本照合処理を終了する。一方、特徴点データが一致しない場合（ステップＳ２０；ＮＯ）、ＣＰＵ４１ｂは、個人認証が失敗したと判別して、認証エラーメッセージを表示部４３ｂに表示させ（ステップＳ２２）、本照合処理を終了する。
【００６１】
次に、図６を参照して、ＩＤカードの作成を行うＩＤカード作成処理について説明する。図６は、発行端末９０のＣＰＵ９１により実行されるＩＤカード作成処理を示すフローチャートである。なお、ここで作成が行われるＩＤカードは、前処理として、カードプリンタ８０により、ＩＤカードの表面に個人情報、顔画像が印刷されたものが用いられるものとする。
【００６２】
図６に示すように、ＣＰＵ９１は、申請者のＩＤ番号を入力させ（ステップＳ３１）、入力された申請者のＩＤ番号と共に、個人情報の要求指示をホストコンピュータ１に送信する（ステップＳ３２）。そして、ホストコンピュータから、ＩＤ番号に対応する個人情報を受信する（ステップＳ３３）。
【００６３】
また、ＣＰＵ９１は、申請者のＩＤ番号と共に、特徴点データの要求指示をＢＭファイリング装置３０ａ〜３０ｂに送信し（ステップＳ３４）、ＢＭファイリング装置３０ａ〜３０ｂからＩＤ番号に対応する指紋、虹彩、声紋等の特徴点データをそれぞれ受信する（ステップＳ３５）。ここで、ＩＤカードに記録するＢＭ情報は、１種でもよく、複数種類のＢＭ情報を記録してもよい。
【００６４】
さらに、ＣＰＵ９１は、申請者のＩＤ番号と共に、顔画像データの要求指示を顔画像ファイリング装置７０に送信して（ステップＳ３６）、顔画像ファイリング装置７０からＩＤ番号に対応する顔画像データを受信する（ステップＳ３７）。
【００６５】
そして、ＣＰＵ９１は、ＩＤカードが挿入されると（ステップＳ３８）、リーダ／ライタ９６を制御して、ＩＤ番号、個人情報、各種特徴点データ、顔画像データをＩＤカードの内蔵メモリに記録する（ステップＳ３９）。情報の記録が終了した場合、ＣＰＵ９１は、本ＩＤカード作成処理を終了する。
【００６６】
以上のように、ＢＭ情報を用いて個人認証を行うＩＤカードシステムにおいて、顔画像の撮影を行う際に、個人認証に利用する一種又は複数種のＢＭ情報を略同時に取得することとしたため、申請者からＢＭ情報を取得する手間及び時間を省くことができる。これにより、作業工程を簡略化して、申請者に係る負担を軽減することができる。また、複数種のＢＭ情報を同一箇所で取得することとしたため、ＢＭ情報を取得するための一定環境を複数箇所に用意する必要がない。これにより、ＩＤカードシステムの構築に係るコストを低減させることができる。
【００６７】
また、ＢＭ情報を取得するために好適な環境下において、ＢＭ情報を取得することができるため、品質の高いＢＭ情報を取得することができる。これにより、高品質なＢＭ情報に基づいて申請者の個人認証を行うことができ、精度良く個人認証を行うことができる。すなわち、ＩＤカード作成工程における、第三者のなりすましを適切に防止することができる。
【００６８】
なお、上述した本実施の形態における記述は、本発明に係る好適なＩＤカードシステム１００の一例であり、これに限定されるものではない。例えば、生体認証情報は、虹彩、声紋、指紋を利用した場合を例として説明を行ったが、生体認証情報はこれに限らず、撮影された顔画像データを生体認証情報として用いても良く、その他種々の生体認証情報を利用可能である。
【００６９】
また、ＩＤカードシステム１００においては、複数の種類の生体認証情報が照合処理に利用され、複数種類の生体認証情報毎に、ファイリング装置３０ａ〜３０ｂに保存する場合を例として説明を行ったが、ファイリング装置の台数はこれに限らず任意の台数を設置可能である。例えば、ＩＤカードシステム１００にファイリング装置を１台備え、１台のファイリング装置に、複数種類の生体認証情報が保存される構成であってもよい。この場合、ファイリング装置は、生体認証情報に付帯される生体認証情報の種類に関する情報に基づいて、生体認証情報の種類毎に複数種類の生体認証情報を管理するものとする。或いは、ファイリング装置３０ａ〜３０ｂを備えずに、全ての情報をホストコンピュータ１のデータベースに格納する構成であってもよい。
【００７０】
また、ファイリング装置３０ａには、ＢＭ情報として、指紋の画像データ及び特徴点データを保存し、ファイリング装置３０ｂには、虹彩の画像データ及び特徴点データと、声紋の音声データ及び特徴点データとを保存する構成として説明を行ったが、ファイリング装置に保存されるデータの種類はこれに限らない。例えば、ファイリング装置３０ａ〜３０ｂには、画像データ及び特徴点データの少なくとも一方が保存され、他方のデータについては、ホストコンピュータ１に保存される構成であっても良い。
【００７１】
また、照合装置４０ｂのＣＰＵ４１ｂにより実行される認証処理において、ＣＰＵ４１ｂは、特徴点データが一致しない場合に、ファイリング装置３０ｂに虹彩の画像データを要求し、画像データから特徴点データを抽出して再度、個人認証を行う場合を例として説明を行ったが、特徴点データが一致しない場合に、個人認証がエラーとなる構成であってもよい。
【００７２】
また、発行端末９０のＣＰＵ９１により実行されるＩＤカード作成処理において、リーダ／ライタにより内蔵メモリに記録される情報は、上述した例に限定されない。例えば、ＩＤ番号、個人情報、虹彩の特徴点データ、顔画像データを記録するだけでなく、顔画像データから抽出した特徴点データを生体認証情報として記録してもよい。
【００７３】
また、本実施の形態においては、照合装置４０ｂにおいて個人認証を行う場合に、虹彩を利用して場合を例として説明を行ったが、例えば、声紋の音声データ又は顔画像データから抽出された特徴点データを利用して個人認証を行ってもよく、その他の各種生体認証情報を利用して個人認証を行っても良い。
【００７４】
その他、本実施の形態におけるＩＤカードシステム１００を構成する各装置、又は構成部分の細部構成、及び細部動作に関しても、本発明の趣旨を逸脱することのない範囲で適宜変更可能である。
【図面の簡単な説明】
【００７５】
【図１】本発明を適用した実施の形態におけるＩＤカードシステムのシステム構成を示す概念図である。
【図２】図１に示すＢＭ入力装置２０ａの機能的構成を示すブロック図である。
【図３】図１に示す発行端末９０の機能的構成を示すブロック図である。
【図４】図２に示すＣＰＵ２１ｂにより実行されるＢＭ情報取得処理を示すフローチャートである。
【図５】図１に示すＢＭ照合装置４０ｂのＣＰＵ４１ｂにより実行される認証処理を示すフローチャートである。
【図６】図３に示すＣＰＵ９１により実行されるＩＤカード作成処理を示すフローチャートである。
【符号の説明】
【００７６】
１      ホストコンピュータ
１０    登録端末
２０ａ〜２０ｂ    ＢＭ入力装置
２１ｂ    ＣＰＵ
２２ｂ    入力部
２３ｂ    表示部
２４ｂ    通信部
２５ｂ    ＲＡＭ
２６ｂ    虹彩センサ
２７ｂ    音声マイク
２８ｂ    記憶部
２９ｂ    バス
３０ａ〜３０ｂ    ファイリング装置
４０ａ〜４０ｂ    ＢＭ照合装置
５０    顔画像撮影装置
６０    顔画像ＢＭ変換装置
７０    顔画像ファイリング装置
８０    カードプリンタ
９０    登録端末
１００  ＩＤカードシステム
Ｎ      ネットワーク
【図１】
2005141379.tif 000003
【図２】
2005141379.tif 000004
【図３】
2005141379.tif 000005
【図４】
2005141379.tif 000006
【図５】
2005141379.tif 000007
【図６】
2005141379.tif 000008